(57)【要約】【課題】  Ｈ鋼へのボルト挿通用透孔の穿設作業を省略すると共に、押え板によるパネルの押えを確実に行えるようにする。【解決手段】  一端側を直角に折曲してストッパー部２ａを形成した軸断面Ｌ字形の押え板２に、直角にボルト３を固着する。該ボルト３に螺合した所定長の長ナット４を回してこれらボルトボルト３と長ナット４の全長を伸ばす。これにより押え板２をＨ鋼のフランジとの間にパネルを強く挟持するように突っ張らせる。その後、ボルト３に螺合したゆるみ止めナット５を長ナット４に接触するようにねじ回し、最後に強く当たるように強くねじ回す。これによりねじのゆるみを防ぎ、押え板２による挟持状態を確実に保持する。【選択図】図１
0003110008.tif 000002
【実用新案登録請求の範囲】
【請求項１】
一端側を折曲してストッパー部を形成した押え板を構成し、前記押え板に、前記ストッパー部と反対方向にボルトを直角に固着し、前記ボルトに所定長の長ナットとゆるみ止めナットを螺合してなり、前記ゆるみ止めナットを長ナットよりボルトの基部側に配置したＨ鋼へのパネルの止め具。
【考案の詳細な説明】
【技術分野】
【０００１】
本考案は、Ｈ鋼へのパネルの止め具に関するものである。
【背景技術】
【０００２】
屋外駐車場等の建造物において、パネルによって囲いを作るとき、その施工方法の一つとして、Ｈ鋼を所定の間隔で多数並列して立設し、これら隣接する各Ｈ鋼の間にパネルを水平に嵌め込んでいき一枚の長い囲いを施工する方法がある。
【０００３】
そして、この施工方法においてＨ鋼にパネルを固定する手段として、従来次の二通りの手段が採用されていた。
【０００４】
図４にはその内の第１の手段を示していて、押え板１０４の本体１０１の両端を反対方向に直角に折曲して、押圧部１０２と支持部１０３を形成し軸断面を略Ｓ字形とし、この押え板１０４を２個一組として用いるものである。
上記押え板１０４を、Ｈ鋼１００の左右のフランジ１００ａ，１００ａ，１００ｂ，１００ｂの間に、夫々の押圧部１０２と支持部１０３が平行になるように取り付け、Ｈ鋼１００に穿設した透孔１００Ａに挿通したボルト１０５と、これに螺合したナット１０６とによって両押え板１０４の本体１０１を外方から押圧して近付け、夫々の押圧部１０２とＨ鋼１００の左右のフランジ１００ａ，１００ｂとの間にパネル１０７を挟持して止めるものである。
【０００５】
しかし、上記手段による場合には、Ｈ鋼１００にボルト挿通用の透孔１００Ａを穿設する手間が必要である。また押え板１０４は、その本体１０１が外方から押圧されるとき、支持部１０３の先端のＨ鋼１００との接触部１０３ａを支点として図中の矢印Ｘ方向に回動することになる。この結果、パネル１０７の厚味によっては、押圧部１０２の押圧面がパネル１０７に対して傾斜した状態で接触することになる。即ち、面で接触せずに点で接触することになるため、パネルの充分な固定ができなくなるという問題点があった。
【０００６】
また、図５には前記手段の内の第２の手段を示している。この手段は、Ｈ鋼１００の左右のフランジ１００ａ，１００ｂに夫々ボルト挿通用の透孔１００Ｂ，１００Ｂを穿設すると共に、この左右のフランジ１００ａ，１００ｂにおける透孔１００Ｂ，１００Ｂの夫々の外側にナット１０８，１０８を固着し、該透孔１００Ｂ，１００Ｂに挿通し、ナット１０８，１０８に螺合したボルト１０９，１０９を螺進させてその頭部１０９ａ，１０９ａによってパネル１０７，１０７をＨ鋼１００の反対側のフランジ１００ａ，１００ｂとの間に挟持するものである。
【０００７】
しかし、上記手段による場合には、前記第１の手段と同様にＨ鋼１００にボルト挿通用の透孔１００Ｂを穿設する手間が必要であり、しかも前記第１の手段におけるよりも倍の手間が必要である。
【考案の開示】
【考案が解決しようとする課題】
【０００８】
本考案は上記の点に鑑みなされたものであって、従来の手段におけるＨ鋼へのボルト挿通用透孔の穿設作業を省略することができると共に、押え板の押圧面がパネルに対して面で接触するようにして、確実に充分な固定を行うことができるようにしたＨ鋼へのパネルの止め具を提供するものである。
【課題を解決するための手段】
【０００９】
本考案の要旨とするところは、本体部の一端側を略直角に折曲してストッパー部を形成した軸断面略Ｌ字形の押え板を構成し、前記本体部に、前記ストッパー部と反対方向にボルトを直角に固着し、前記ボルトに所定長の長ナットとゆるみ止めナットを螺合してなり、前記ゆるみ止めナットを長ナットよりボルトの基部側に配置して螺合したＨ鋼へのパネルの止め具にある。
【考案の効果】
【００１０】
本考案は上記の如き構成であるから、従来の手段におけるＨ鋼へのボルト挿通用透孔の穿設作業を省略することができると共に、確実かつ迅速なパネルの取り付け作業が可能となる。
また、押え板の押圧面がパネルに対して面で接触するため、充分な挟持力を得ることができる。そして、ボルトと長ナットによる強力な突っ張り力は、ゆるみ止めナットによって確実に保持されるから、施工後も長い期間に亘って、パネルを確実な挟持力で固定することができるのである。
加えて、押え板の一端側には本体部を折曲してストッパー部を形成しているから、本考案に係る止め具の全体が、パネルの固定側のＨ鋼の左右のフランジから外方にずれようとすると、ストッパー部がパネルの端面に当たり、パネルから外れることを防止することができるのである。
【考案を実施するための最良の形態】
【００１１】
本考案を実施するための最良の形態は、本体部の一端側を直角に折曲してストッパー部を形成した軸断面Ｌ字形の押え板を構成し、この押え板の本体部に直角にボルトを固着する。このボルトに螺合した所定長の長ナットを回してこのボルトと長ナットの全長を伸ばし、これによって押え板をＨ鋼のフランジとの間にパネルを強く挟持するように突っ張らせるのである。そして、この状態をボルトに螺合したゆるみ止めナットによって確実に保持するのである。
本考案のパネルは、鋼板パネル、サンドイッチパネル等すべてのパネルが対象となっていて、それらすべてのパネルに適応できるのである。
【００１２】
以下、本考案の実施形態を詳細に説明する。
図１は中央部から片側半分を断面で示した実施状態を示す平面図、図２は図１のＡ−Ａ線断面図、図３は実施状態を示す概略側面図である。
【００１３】
図中、１はパネルの止め具である。尚、このパネルの止め具１は、本実施形態では図３に示す如く駐車場の屋上等にパネルによる囲いを作るためのＨ鋼に実施する場合を示している。２は該パネルの止め具１を構成する、鋼板からなる押え板である。また、この押え板２は一端側を直角に折曲してストッパー部２ａを形成し、軸断面Ｌ字形となっている。
【００１４】
前記押え板２のストッパー部２ａ以外の部分である本体部２ｂに、ストッパー部２ａと反対方向に直角にボルト３を固着する。本実施形態では溶接によって該ボルト３を押え板２に固着している。
【００１５】
前記ボルト３には所定長の長ナット４を螺合している。この長ナット４と前記ボルト３とによって、押え板２の突っ張り手段としての作用をなすのである。
【００１６】
前記ボルト３にはゆるみ止めナット５を螺合していて、このゆるみ止めナット５は前記長ナット４よりボルト３の基部側に配置して螺合している。また、前記ゆるみ止めナット５と前記長ナット４との間にはワッシャー６を介装してある。また、図中、７は駐車場の支柱、８は梁、９はフロア材を示す。
【００１７】
次に、本実施形態の作用について説明する。
Ｈ鋼１００の左右のフランジ１００ａ，１００ｂの内側で、押え板２の本体部２ｂをパネル１０７に押し当てた状態で、長ナット４をボルト３との全長が伸びる方向にねじ回す。
そして押え板２の本体部２ｂがパネル１０７を強く押して、パネル１０７がＨ鋼１００の左右のフランジ１００ａ，１００ｂとの間に強力に挟持されたら長ナット４の回転を止める。その後、ゆるみ止めナット５を用いてこの状態を保持するのである。
即ち、ゆるみ止めナット５を長ナット４と接触する方向にねじ回し、長ナット４を強く締め付けるようにねじ回すと、長ナット４の突っ張り力が強くなると共に、ダブルナットの作用によりボルト３とゆるみ止めナット５のねじ同士が強く接触することにより、ねじのゆるみが防止できるのである。
【００１８】
上記のようにしてパネル１０７を固定すると、押え板２の本体部２ｂの押圧面がパネル１０７に対して面で接触するから、強力な挟持力によってパネル１０７をＨ鋼１００に固定することができる。そして、ボルト３と長ナット４による突っ張り力は、ゆるみ止めナット５によって確実に保持されるから、施工後も安定した強力な挟持力でパネル１０７を固定することができるのである。
【００１９】
また、押え板２の一端側には直角に折曲してストッパー部２ａを形成しているから、止め具１の全体が、パネル１０７の取り付け前にＨ鋼１００の左右のフランジ１００ａ，１００ｂから外方にずれようとすると、ストッパー部２ａがパネル１０７の端面に当たり、パネル１０７からの外れを防止することができるのである。
【図面の簡単な説明】
【００２０】
【図１】本考案の中央部から片側半分を断面で示した実施状態を示す平面図である。
【図２】図１のＡ−Ａ線断面図である。
【図３】本考案の実施状態を示す概略側面図である。
【図４】従来のパネル固定手段の説明図である。
【図５】従来の他のパネル固定手段の説明図である。
【符号の説明】
【００２１】
１  パネルの止め具
２  押え板
２ａ  ストッパー部
２ｂ  本体部
３  ボルト
４  長ナット
５  ゆるみ止めナット
１００  Ｈ鋼
１０７  パネル
【図１】
0003110008.tif 000003
【図２】
0003110008.tif 000004
【図３】
0003110008.tif 000005
【図４】
0003110008.tif 000006
【図５】
0003110008.tif 000007